(57)【要約】【課題】遊技店等の床面に零れ落ちた異径のメダルを容易に回収することができ、しかも回収した異径のメダルを装置内にて選別することで店員の選別作業の手間を省くことができるようにしたメダル吸引回収装置を提供する。【解決手段】異径のメダルを吸引によって回収するメダル吸引回収装置に於いて、吸引機能を有したブロアーの吸引ホースにて異径のメダルを吸引回収し、装置内に設けた異径選別部にて選別後、各々の収納箱に収納するようにした。【選択図】        図１
2004344220.tif 000002
【特許請求の範囲】
【請求項１】
異径のメダルを吸引によって回収するメダル吸引回収装置に於いて、
吸引機能を有したブロアーの吸引ホースにて異径のメダルを吸引回収し、装置内に設けた異径選別部にて選別後、各々の収納箱に収納するようにしたことを特徴とする、メダル吸引回収装置。
【請求項２】
異径のメダルを吸引によって回収するメダル吸引回収装置に於いて、
前記メダル吸引回収装置は、異径のメダルを吸引する吸引ホースを設けた吸引機能を有するブロアーと、該ブロアーにて吸引したメダルと不要物とを選別する第一選別部と、該第一選別部にて選別後のメダルを順次整列して送り出す払出し部と、該払出し部にて送り出されたメダルを径選別する第二選別部と、該第二選別部にて選別後のメダルを収納する各々の収納箱と、から構成したことを特徴とするメダル吸引回収装置。
【発明の詳細な説明】
【０００１】
【発明の属する技術分野】
本発明は、遊技店やゲームセンター等の遊戯施設に設置された遊技機で使用されるメダルを、床面から吸引によって回収するメダル吸引回収装置に関り、特に零れ落ちた異径のメダルを容易に吸引回収し、装置内にて異径毎に選別することができる、メダル吸引回収装置に関する。
【０００２】
【従来の技術】
遊技店等においては、メダルを用いて遊技するスロットマシン等（以下、遊技機という）が設置されており、遊技者は遊技開始するにあたっては隣接したメダル貸出機に貨幣を投入してメダルを貸出す。メダル貸出機の受皿に貸出されたメダルを遊技機の下皿に移し替える時にメダルを床面に零してしまったり、また貸出されたメダルを遊技機の投入口に一枚ずつ投入して遊技を行うが、誤ってメダルが手から床面に零れ落ちてしまうことがある。
床面に零れた、また落ちたメダルは放置されたまま、床面に散乱している。散乱したメダルは店員がいちいち手で拾うようにしているが、遊技機の底部付近は空間が狭く遊技者が遊技している最中は、拾う作業は作業し難く面倒で拾い難かった。
【０００３】
そこで、床面に零れ落ちたメダルを電気掃除器の吸引力にて拾う装置（硬球又はコイン収集器）が開示されている。
【０００４】
【特許文献１】
特開平９−２８９１７
【０００５】
上記硬球又はコイン収集器は、電気掃除器の吸引力によって吸引された吸引物は、まずふるい網の上に放出され、ここでふるい網を通過した洗浄用のチップやごみ等の不要物は電気掃除器によって吸引され、ふるい網に掛かった硬球又はコイン（メダル）のみがふるい網のレールに沿って下部に設けた収納部に滑り落ち収納される。
【０００６】
ところで、今まで遊技店等にて設置された遊技機で使用するメダルの大きさ（直径）は２５ミリのメダルにて遊技するのが主流であったが、昨今の遊技機は、メダルの大きさ（直径）が３０ミリのメダルにて遊技するようになってきている。  よって、遊技店の各遊技島は、２５ミリのメダルを貸出して遊技する遊技機の遊技島と、３０ミリのメダルを貸出して遊技する遊技機の遊技島とから成り、異径のメダルが使用されることになる。その結果、両遊技島が隣合う床面では、混在したメダルが放置され、散乱している。
【０００７】
【発明が解決しようとする課題】
先に開示された硬球又はコイン収集器においては、硬球か、コインを電気掃除器にて吸引し、選別用のふるい網にてゴミ等の不要物を選別するだけであり、吸引した異径の異なるメダルを収納部に吸引した後、店員が収納部内の混在する異径のメダルを手作業（選別作業）にて選別しなくてはならず、面倒で手間がかかっていたため、昨今の遊技機にて使用される３０ミリのメダルと、以前から使用されていた２５ミリのメダルの両方を吸引回収し、装置内にて選別し、各々毎に収納することができる手間の掛からないメダル吸引回収装置が要望されていた。
【０００８】
本発明の目的は、遊技店等の床面に零れ落ちた異径のメダルを容易に回収することができ、しかも回収した異径のメダルを装置内にて選別することで店員の選別作業の手間を省くことができるようにしたメダル吸引回収装置を提供する。
【０００９】
【課題を解決するための手段】
上記目的を達成するため、請求項１のメダル吸引回収装置は、異径のメダルを吸引によって回収するメダル吸引回収装置に於いて、吸引機能を有したブロアーの吸引ホースにて異径のメダルを吸引回収し、装置内に設けた異径選別部にて選別後、各々の収納箱に収納するようにしたことによって達成される。
【００１０】
また、上記目的を達成するため、請求項２のメダル吸引回収装置は、異径のメダルを吸引によって回収するメダル吸引回収装置に於いて、前記メダル吸引回収装置は、異径のメダルを吸引する吸引ホースを設けた吸引機能を有するブロアーと、該ブロアーにて吸引したメダルと不要物とを選別する第一選別部と、該第一選別部にて選別後のメダルを順次整列して送り出す払出し部と、該払出し部にて送り出されたメダルを径選別する第二選別部と、該第二選別部にて選別後のメダルを収納する各々の収納箱と、から構成したことによって達成される。
【００１１】
【発明の実施の形態】
以下、本発明の実施形態を図面に基づいて説明する。図１はメダル吸引回収装置の外観正面図、図２はメダル吸引回収装置の外観斜視図である。さらに図３は側面図で、図４は平面図である。
ここでのメダル吸引回収装置１は、異径のメダルを吸引して回収するためのものであるが、メダル以外にもコインや硬貨（例えば１００円硬貨や、５００円硬貨、その他流通硬貨）等も吸引回収することができる。以下、メダルと称して説明する。尚、遊技店で貸出しの際に使用される１００円硬貨及び５００円硬貨は大きさ（直径）が２５ミリ以下なので選別後、後述する径小用収納箱２８内に収納される。
【００１２】
始めに、メダル吸引回収装置１の本体部１０の各構成について説明する。
メダル吸引回収装置１の本体部１０は、略矩形形状に形成され、底部に移動するための台車１２が四箇所に設けられている。また、側壁には後述する使用後の吸引ホース１１の金具１１ｃを掛けておく引掛け具１０ａが設けられている。
本体部１０の上方側面の接続口１１ｂには所定の長さを有した吸引ホース１１が接続されている。また、吸引ホース１１の先端にはメダルを吸引するための吸引口１１ａが取り付けられている。この吸引口１１ａの形状により、床面に落ちているメダルを吸引し易くさせている。尚、図示した吸引ホース１１は、所定の長さを有しているが、収縮自在の吸引ホースとしても良く、着脱自在の吸引ホースとしても良い（共に不図示）。
【００１３】
次に、本体部１０の各構成について詳細に説明する。
本体部１０には、メダルを吸引回収するブロアー１５と、該ブロアー１５にて吸引回収したメダルと不要物とを選別する第一選別部１７と、該第一選別部１７にて選別後のメダルを順次一枚ずつ払出す払出し部２０と、該払出し部２０にて払出されたメダルを径選別する第二選別部２７と、選別後の異径のメダルを収納する各々の収納箱（径小用収納箱２８、径大用収納箱３０）とから大略構成されている。
【００１４】
本体部１０の上方には、メダルを吸引回収するための吸引機能を有したブロアー１５（例えば、電気掃除機等）が備えられ、接続口１１ｂに吸引ホース１１が接続されている。この吸引ホース１１の途中の位置に操作スイッチ１３（ＯＮボタン、ＯＦＦボタン）が設けられている。上記ブロアー１５には排出口１５ａが設けられ、吸引されたメダルは排出口１５ａから第一収容器１６内に吸引回収される。該第一収容器１６は下面が傾斜した漏斗状に形成され、この傾斜を滑り落ちて連接した第一選別部１７へと落ちていく。尚、ブロアー１５が設けられた第一収容器１６は密閉状に成している。
第一選別部１７は、傾斜状に取り付けられ、上面には多数の選別孔１７ａが設けられ、下面に取出し可能な不要物容器１８が設けられている。選別孔１７ａは径小メダル等の大きさより小さい孔から成している。
【００１５】
第一選別部１７は、吸引したメダルに混ざって吸引した不要物（メダル以外のごみやパチンコ玉等）を選別するためのものである。選別されたメダルのみが第二収容器１９から連接する払出し部２０へと落ちていく。尚、不要物は選別孔１７ａから落下して不要物容器１８内に収容される。この不要物容器１８は、取り外し可能で容器内に落ちた不要物を捨てることができる。また、第二収容器１９は、払出し部２０に供給するために溜めておく容器で、下面が傾斜した漏斗状に形成されている。
【００１６】
払出し部２０では、第一選別部１７で選別されたメダルのみが収容される。この払出し部２０は、例えばポッパー装置から成していて、収容されたメダルを一枚ずつ第二選別部２７へ送り出すためのものである。払出し部２０の払出し速度は、第二選別部２７の選別能力に応じて送り出している。この払出し部２０は、第二収容器１９内に設けられた検出部１９ａにて検知した時、駆動するようになっている。検出部１９ａで検知しなくなったら、停止する。
尚、上記おいては、第二収容器１９内に設けた検出部１９ａにて検知した時、払出し部２０が駆動するようにしたが、吸引ホース１１の途中の位置に設けた操作スイッチ１３がＯＮした時に払出し部２０が駆動するようにしても良い。
【００１７】
次に、第二選別部２７（異径選別部）について説明する。
図３に示すように第二選別部２７は上述した払出し部２０に連接して設けられている。この第二選別部２７にて異径のメダルを径選別することができる。第二選別部２７は、例えばセレクター装置から成している。よって、上述した払出し部２０から一枚ずつ払出されたメダルは通路２２を落下し、第二選別部２７の径小用通路２３、径大用通路２４を経て径小メダル、径大メダルに径選別（振分けられる）され、後述する各々の収納箱内に収容される。尚、ここでの第二選別部２７は径選別によって選別するようにしているが、他の選別装置であっても良い。また、図示していないが、計数センサを設けておき、収容する際、通過するメダル等を計数するようにしても良い。
また、第二選別部２７において、上述した第一選別部１７の選別機能（メダルとメダル以外の不要物の選別）を備えることで、第一選別部１７の構成を省略することができる。つまり、第二選別部２７（若しくは第一選別部１７）にて、吸引したメダルに混ざって不要物を選別し、さらに異径のメダルも径選別することができるようにしても良い。また、上述した払出し部２０に選別機能を持たせ、選別後に払出すようにした機能としても良い。
【００１８】
２８は、径小メダルを収納する径小用収納箱であり、３０は、径大メダルを収納する径大用収納箱である。各々の収納箱は、取手付きの略矩形状の箱体から形成されていて本体部１０の下方に併設し、取外し可能に設けられている。
径小用収納箱２８内には、選別後の２５ミリの径小メダルと、他にコイン、１００円硬貨、５００円硬貨等が収容される。径大用収納箱３０内には、選別後の３０ミリの径大メダルのみが収容される。
【００１９】
以上のように構成されたメダル吸引回収装置１についての動作を説明する。
店員は、メダル吸引回収装置１を床面に零れ落ちているメダルに近づき吸引ホース１１を持ち、吸引口１１ａを床面に接するようにして操作する。操作にあたって操作スイッチ１３のＯＮボタンを押圧すると、ブロアー１５が駆動し、落ちているメダルが吸引口１１ａから吸引することができる。先端の吸引口１１ａから吸引したメダルは吸引ホース１１内を経て、排出口１５ａから第一収容器１６内に全て吸い込まれる。第一収容器１６内に吸い込まれたメダルや不要物は、第一選別部１７にて選別される。メダル以外の不要物は、選別孔１７ａから落下して不要物容器１８内へと収容される。そして、不要物を除いたメダルが第二収容器１９内に一旦貯留される。
【００２０】
例えば、第二収容器１９内の検出部１９ａにて検知すると、払出し部２０が駆動し、第二収容器１９内のメダルが一枚ずつ通路２２から落下し、順次、第二選別部２７へと送り出されていく。送り出されたメダルは、第二選別部２７にて径選別され、２５ミリの径小メダル及びコイン、１００円硬貨、５００円硬貨等は、径小用収納箱２８内に振り分けられ、３０ミリの径大メダルは、径大用収納箱３０内に各々振り分けられる。
このように、床面に零れ落ちている異径のメダルは、本発明のメダル吸引回収装置１により吸引回収操作することで容易に拾うことができ、しかも装置内にて異径のメダルを各々選別することができるため、回収後に行っていた異径毎に選別する作業の手間が省ける。
【００２１】
【発明の効果】
以上の説明で明らかなように、本発明のメダル吸引回収装置によれば、遊技店等の床面に零れ落ちた異径のメダルを容易に回収することができ、しかも回収した異径のメダルを装置内にて選別することができるため、回収後に行っていた店員の選別作業の手間を省くことができる。
【図面の簡単な説明】
【図１】本発明のメダル吸引回収装置を示す外観正面図である。
【図２】本発明のメダル吸引回収装置を示す外観斜視図である。
【図３】本発明のメダル吸引回収装置を示す側面図である。
【図４】本発明のメダル吸引回収装置を示す平面図である。
【符号の説明】
１    メダル吸引回収装置
１０    本体部
１１    吸引ホース
１５    ブロアー
１７    第一選別部
１８    不要物容器
２０    払出し部
２７    第二選別部（異径選別部）
２８    径小用収納箱
３０    径大用収納箱
【図１】
2004344220.tif 000003
【図２】
2004344220.tif 000004
【図３】
2004344220.tif 000005
【図４】
2004344220.tif 000006